(57)【要約】【課題】  安全性を下げないように厳格な基準値にて照合を行なわざるを得ない１対Ｎ照合であっても、正当な被照合者を救済することができ、かつ、操作性・利便性に優れた生体情報照合装置を提供する。【解決手段】  被照合者の生体情報を取得する生体情報取得部（１）と、登録者の生体情報の判定に適用される個別基準値と、個別基準値よりも厳格な基準で生体情報の判定に適用される共通基準値とを、記憶する記憶部（８）と、（８）及び（１）の生体情報の類似度を算出する照合部（６）と、（６）にて算出した類似度が判定の基準値に適合する場合に被照合者が登録者であると判定する判定部（９）と、被照合者が個人識別情報を入力する個人識別情報入力部（２）と、判定結果を出力する出力部（１０）と、を有し、判定部は、判定に共通基準値を適用し、被照合者が登録者でないと判定された場合に、個人識別情報の入力を条件に、当該個人識別情報に対応する個別基準値を適用する。【選択図】      図１
2005293139.tif 000002
【特許請求の範囲】
【請求項１】
被照合者から取得した生体情報を複数の登録されている生体情報と順次照合し、個人照合する個人照合装置であって、
被照合者の生体情報を取得する生体情報取得部と、
複数登録者の生体情報と複数登録者の個人識別情報の入力を条件に前記複数登録者の個々の生体情報の判定に適用される個別基準値と、前記複数登録者の生体情報に共通して使用され前記個別基準値よりも厳格な判定基準で個々の生体情報の判定に適用される共通基準値とを、記憶する記憶部と、
前記記憶部に記憶されている生体情報と前記生体情報取得部にて取得した生体情報との類似度を算出する照合部と、
前記照合部にて算出した類似度が前記判定に適用される基準値に適合する場合に被照合者が登録者であると判定する判定部と、
被照合者が操作して個人識別情報を入力する個人識別情報入力部と、
判定結果を出力する出力部と、
を有し、
前記判定部は、前記判定に前記共通基準値を適用し、被照合者が登録者でないと判定された場合に、前記個人識別情報の入力を条件に、当該個人識別情報に対応する前記個別基準値を適用することを特徴とする、個人照合装置。
【請求項２】
前記記憶部は、前記個人識別情報と、前記生体情報とを対応して記憶しており、
前記照合部は、前記個別基準値を用いて判定する際に入力された前記個人識別情報に対応する生体情報とのみ照合する、
請求項１記載の個人照合装置。
【請求項３】
前記記憶部は、前記生体情報取得部にて取得した生体情報を一時記憶し、
前記照合部は、前記個別基準値にて照合する際に、前記記憶部にて一時記憶した生体情報を用いて登録された生体情報と比較することを特徴とする、
請求項１又は２記載の個人照合装置。
【請求項４】
前記生体情報は、指紋であることを特徴とする、請求項１から３のいずれかに記載の個人照合装置。
【請求項５】
被照合者から取得した生体情報を複数の登録されている生体情報と順次照合し、個人照合する個人照合方法であって、
複数登録者の生体情報と複数登録者の個人識別情報の入力を条件に前記複数登録者の個々の生体情報の判定に適用される個別基準値と、前記複数登録者の生体情報に共通して使用され前記個別基準値よりも厳格な判定基準で個々の生体情報の判定に適用される共通基準値とを、記憶する記憶ステップと、
被照合者の生体情報を取得する生体情報取得ステップと、
前記記憶ステップにて記憶されている生体情報と前記生体情報取得ステップにて取得した生体情報との類似度を算出する照合ステップと、
前記照合ステップにて算出した類似度が前記共通基準値に適合する場合に被照合者が登録者であると判定する第１の判定ステップと、
前記照合ステップにて算出した類似度が前記共通基準値に適合しない場合に被照合者が操作して個人識別情報を入力する個人識別情報入力ステップと、
前記個人識別情報の入力を条件に、前記照合ステップにて算出した類似度が前記個別基準値に適合する場合に被照合者が登録者であると判定する第２の判定ステップと、
被照合者が登録者であると判定された場合に判定結果を出力する出力ステップと、
を有することを特徴とする、個人照合方法。
【発明の詳細な説明】
【技術分野】
【０００１】
本発明は、照合装置に関し、特に、入力された生体情報と登録されている複数の生体情報とを順次照合することにより個人を認証する個人照合装置に関するものである。
【背景技術】
【０００２】
従来、指紋、声紋、掌紋、網膜などの生体情報を利用し、個人を認証する装置があった。具体的な認証方法には、被照合者がＩＤ番号などの個人識別情報をテンキーから入力し、そのＩＤ番号に対応する登録された生体情報を呼び出してから、入力された生体情報との間で照合する方法（以下「１対１照合」という）がある。
【０００３】
ところで、生体情報は、鍵や磁気カードやＩＣカードとは異なり、紛失や不正利用されることが少ないという利点があるが、その反面、生体情報が人の体質や健康状態、あるいは、生体情報の取り込み時の気温、湿度等の環境条件により、安定して入力できない場合があった。そのため、例えば、高低の異なるレベルの基準値を設定し、１対１照合の結果が異なる基準値のどこに該当するかに応じて、照合方法を変えることが行われていた（特許文献１参照）。
【０００４】
また、生体情報を利用した別の認証方法として、例えば、入力された一つの生体情報と登録されている複数の生体情報（個数Ｎ）とを順次照合する方式（以下「１対Ｎ照合」という）がある（特許文献２参照）。
【０００５】
１対Ｎ照合は、１対１照合に比べ、登録された複数の生体情報の中から照合対象の生体情報を特定することを必要とせず、被照合者がテンキー入力を省略することができ、操作性・利便性が高いという利点がある。近年、ＣＰＵの高速化等に伴い、１対Ｎ照合を用いた生体認証装置が多数採用されてきている。
【０００６】
【特許文献１】特開平８−１１５４２２号公報
【特許文献２】特開平４−１７７４７８号公報
【発明の開示】
【発明が解決しようとする課題】
【０００７】
しかしながら、従来技術における１対１照合は暗証番号等の個人識別情報の入力が必要となり、利便性に欠けるという問題点があった。一方、１対Ｎ照合は、個人識別情報の入力が不要となり、１対１照合に比して利便性が高まる反面、登録された複数の生体情報と照合することから他人許容率が高まる可能性があり、安全性で劣るという問題点があった。そのため、１対Ｎ照合において安全性を高めるためには、厳格な基準値で照合を行わざるを得ず、傷等のため被照合者が入力する生体情報の状態が悪い場合に、１対１照合を行うときよりも更に本人拒否率を高めてしまうという問題点があった。
【０００８】
そこで、本発明の目的は、安全性を下げないように厳格な基準値にて照合を行わざるを得ない１対Ｎ照合であっても、正当な被照合者を救済することができ、かつ、操作性・利便性に優れた生体情報照合装置を提供することにある。
【課題を解決するための手段】
【０００９】
上述の目的に鑑み、本発明の目的は、被照合者から取得した生体情報を複数の登録されている生体情報と順次照合し、個人照合する個人照合装置であって、被照合者の生体情報を取得する生体情報取得部と、複数登録者の生体情報と複数登録者の個人識別情報の入力を条件に前記複数登録者の個々の生体情報の判定に適用される個別基準値と、前記複数登録者の生体情報に共通して使用され前記個別基準値よりも厳格な判定基準で個々の生体情報の判定に適用される共通基準値とを、記憶する記憶部と、前記記憶部に記憶されている生体情報と前記生体情報取得部にて取得した生体情報との類似度を算出する照合部と、前記照合部にて算出した類似度が前記判定に適用される基準値に適合する場合に被照合者が登録者であると判定する判定部と、被照合者が操作して個人識別情報を入力する個人識別情報入力部と、判定結果を出力する出力部と、を有し、前記判定部は、前記判定に前記共通基準値を適用し、被照合者が登録者でないと判定された場合に、前記個人識別情報の入力を条件に、当該個人識別情報に対応する前記個別基準値を適用することを特徴とする、個人照合装置を提供することにある。
【発明の効果】
【００１０】
本発明によれば、１対Ｎ照合において、厳格な共通基準値で照合を行い、照合Ｎ．Ｇ．となった場合には、被照合者が個人識別情報を入力し、より寛容な個別基準値で照合を行う。これにより、通常の照合が可能な大多数の人については１対Ｎ照合の利便性を損なうことなく、傷等のため入力される生体情報の状態の悪い被照合者を救済することができる。また、個別基準値は、個人識別情報に対応しているので、被照合者の生体情報の状態に応じた適切な個別基準値にて照合を行うことができる。この場合、個人識別情報入力後に寛容な基準値を用いるので、安全性を保ちつつ本人拒否率を低く抑えることができ、安全性と利便性を両立することができる。
更には、個人識別情報に対応する情報を個別基準値だけではなく、記憶されている生体情報とも対応させて、対応した生体情報とのみ、対応した個別基準値で照合するので、安全性と利便性の両立を更に増進することができる。
更に、個別基準値を用いて照合する際は、最初の１対Ｎ照合時に入力した生体情報を用いて再照合を行うので、被照合者の利便性が向上する。従って、全体として見れば、顕著に利便性が向上すると共に安全性が保障される。
【発明を実施するための最良の形態】
【００１１】
以下、生体情報として指紋を用いる本発明に係る個人照合装置を、図１から図１１を参照して詳細に説明する。
【００１２】
図１は、本発明に係る個人照合装置の基本的な構成を示すブロック図である。
本装置は、被照合者が入力した指紋をカメラ等で読み取る指紋入力部１と、暗証番号やＩＤコード等の個人識別情報を入力するテンキーを有する個人識別情報入力部２と、照合結果や操作手順等の各種案内データや情報類をガイダンスとして表示する、例えばＬＣＤ等の表示部３と、指紋入力部１及び個人識別情報入力部２からの入力に基づいて表示部及び電気錠等の外部機器に信号を出力する制御部４とで構成される。
【００１３】
更に、制御部４は、指紋入力部１より入力された指紋から指紋の隆線方向分岐点等の本人として同定可能な指紋特徴パラメータを抽出する特徴パラメータ抽出部５と、特徴パラメータ抽出部５から入力され後述の記憶部８に一時記憶された指紋特徴パラメータと後述の記憶部８にあらかじめ記憶されている指紋特徴パラメータとの類似度を算出する照合部６と、個人識別情報入力部２から入力された暗証番号やＩＤコード等の個人識別情報が後述の記憶部８にあるかを検索する個人識別情報照合部７と、登録された指紋の特徴パラメータ、共通基準値、個別基準値、暗証番号、ＩＤコード等を記憶する記憶部８と、照合部６にて算出された類似度と基準値を比較判定する判定部９と、判定部９からの判定結果に基づき電気錠等の外部機器に信号を出力する出力部１０とで構成される。
【００１４】
図２は、本発明に係る個人照合装置の基本的な動作フロー例を示すフローチャートであり、図３は、同装置の記憶部８に記憶されるテーブルの一例を示す図である。
図３に示すように、記憶部８のテーブルには被照合者のＩＤコード、暗証番号、寛容な値を持つ個別基準値、特徴パラメータが対応付けられて記憶され、更に、厳格な値を持つ共通基準値が記憶されている。ただし、本明細書に記載の全ての実施例において、寛容な値は、厳格な値より大きい値を持っている。
【００１５】
また、暗証番号は、指紋を読み取りにくい被照合者を救済することを目的としているので、被照合者全員に対して記憶しておく必要はない。暗証番号が記憶されている被照合者には、それぞれに対して個別基準値を与えるが、指紋を読み取りにくい者に対しては、より寛容な値を与えておく。また、１対Ｎ照合で用いられる共通基準値は、他人許容率を下げるために、一般に厳格な値に設定しておく。
【００１６】
図３の例では、ＩＤコードの０１には、暗証番号の９２６５、個別基準値の５、特徴パラメータのデータ１がそれぞれ対応付けられており、共通基準値の２は、全てのＩＤコードに共通に対応付けられる。また、ＩＤコードの０２には、暗証番号及び個別基準値が対応付けられていない。
また、共通基準値の２は、個別基準値の５、４、及び３等の値より小さく設定されているが、本実施例において、これは、共通基準値の方が個別基準値より厳格な値であることを意味する。
また、ＩＤコードの０１に対応付けられた個別基準値は５であり、ＩＤコードの０３に対応付けられた個別基準値は４となっているが、これは、ＩＤコード０１を持つ者の方がＩＤコード０３を持つ者よりも指紋を読み取りにくいため、前者に対してはより寛容な個別基準値（すなわち、大きい値）を与えることを目的とするものである。
【００１７】
次に、図２を参照して本発明に係る個人照合装置の基本的な動作フローを説明する。
被照合者が指紋入力部１に指を置くと、ここで読み取られた指紋は特徴パラメータ抽出部５に送出され、ここで特徴パラメータが抽出されて、それは記憶部８に一時記憶される（Ｓ０１）。
【００１８】
次いで、ステップＳ０１で入力・一時記憶された特徴パラメータと図３のごとく記憶部８にあらかじめ記憶されている特徴パラメータ（データ１〜データＮ）との類似度を、パターンマッチング方式、マニューシャ方式、周波数解析方式等の公知の方式によって、照合部６で順次算出し、算出された類似度と厳格な値である共通基準値（図３参照）とを判定部９で比較する（Ｓ０２）。
【００１９】
比較の結果、類似度が共通基準値に適合する（本明細書の実施例では、類似度が共通基準値より小さい値である）場合には、照合Ｏ．Ｋ．とし（Ｓ０３のＹｅｓ）、出力部１０から電気錠へ解錠信号を出力し、被照合者のＩＤを履歴に残す（Ｓ０７）。比較の結果、類似度が共通基準値に適合しない（本明細書の実施例では、類似度が共通基準値以上の値である）場合には、ステップＳ０４へ進む。以上は、１対Ｎ照合の処理である。
【００２０】
ステップＳ０４において、被照合者は、ステップＳ０１〜Ｓ０３を所定回数反復するか、又はＩＤコード、暗証番号等の個人識別情報を個人識別情報入力部２から入力するかを選択する（Ｓ０４）。被照合者が個人識別情報入力を選択した場合には、以下の１対１照合の処理へ進む。すなわち、ステップＳ０１で記憶部８に一時記憶された特徴パラメータとステップＳ０４で入力された個人識別情報に相当する者の図３における特徴パラメータ（例えば、個人識別情報として暗証番号の９２６５が入力された場合には、特徴パラメータは、データ１となる）との類似度を、パターンマッチング方式、マニューシャ方式、周波数解析方式等の公知の方式によって、照合部６で算出し、算出された類似度と入力された個人識別情報に対応した寛容な値である個別基準値（例えば、個人識別情報として暗証番号の９２６５が入力された場合には、個別基準値は、５となる）とを判定部９で比較する（Ｓ０５）。
【００２１】
比較の結果、類似度が図３における個別基準値に適合する（本明細書の実施例では、類似度が図３における個別基準値より小さい値である）場合には、照合Ｏ．Ｋ．とし（Ｓ０６のＹｅｓ）、出力部１０から電気錠へ解錠信号を出力し、被照合者のＩＤを履歴に残し（Ｓ０７）、照合処理を終了する。比較の結果、類似度が図３における個別基準値に適合しない（本明細書の実施例では、類似度が図３における個別基準値以上の値である）場合には、照合処理を終了する。
【００２２】
図４〜７は、本発明の第１の実施例に係る個人照合装置の具体的な動作フロー例を示すフローチャートである。
まず、被照合者が指紋入力部１に指を置く（Ｓ１１）と表示部がＯＮになり（Ｓ１２）、指置きの回数ｉが１に設定される（Ｓ１３）。次いで、指紋入力部１で読み取られた指紋は、特徴パラメータ抽出部５に送出され、ここで特徴パラメータが抽出され、それは記憶部８内のメモリＰに一時記憶される（Ｓ１４）。
【００２３】
次いで、ループＳ１５〜Ｓ１８において、メモリＰと図３のごとく記憶部８のテーブルにあらかじめ記憶されている特徴パラメータ（データ１〜データＮ）との類似度を、パターンマッチング方式、マニューシャ方式、周波数解析方式等の公知の方式によって、照合部６で順次算出し一旦記憶部８内のメモリＳに記憶し（Ｓ１６）、メモリＳと厳格な値である共通基準値（図３参照）とを判定部９で比較する（Ｓ１７）。
【００２４】
比較の結果、メモリＳが共通基準値に適合する（本明細書の実施例では、メモリＳが共通基準値より小さい値である）場合には、ループから抜け出し照合Ｏ．Ｋ．の処理Ｏ（Ｓ４６）へ進む。このループから抜け出さずにループを終了した場合には、指置きの回数ｉと所定回数の大小を比較する（Ｓ１９）。
【００２５】
比較の結果、指置きの回数ｉが所定回数以上である場合には、照合Ｎ．Ｇ．の処理Ｎ（Ｓ４８）へ進む。比較の結果、指置きの回数ｉが所定回数未満である場合には、被照合者に対して「再度指を置くか暗証番号を入力してください」と表示部３に表示する（Ｓ２０）。以上は、１対Ｎ照合の処理である。
【００２６】
引き続き、Ｂ以下の処理（Ｓ２１）へ進む。再度の指置きがあるか否かを判断し（Ｓ２１）、指置きがある場合には、図示しないタイマーをリセットし（Ｓ２６）、指置きの回数ｉの値を１だけ増やし（Ｓ２７）、再びステップＳ１４以下の処理を繰り返すためにＡ（Ｓ１４）へ進む。指置きがない場合には、タイマーが起動中であるか否かを判断し（Ｓ２２）、タイマーが起動中でない場合には、タイマーを起動する（Ｓ２３）。
【００２７】
次いで、被照合者から個人識別情報入力部２を通してＩＤコード、暗証番号等の個人識別情報入力があるか否かを判断し（Ｓ２４）、個人識別情報入力がある場合には、タイマーをリセットし（Ｓ２８）、ステップＳ３０へ進む。個人識別情報入力がない場合には、タイマーと所定時間の大小を比較する（Ｓ２５）。
【００２８】
比較の結果、タイマーが所定時間を超えている場合には、タイマーをリセットし（Ｓ２９）、照合Ｎ．Ｇ．の処理Ｎ（Ｓ４８）へ進む。比較の結果、タイマーが所定時間以下の場合には、ステップＳ２１以下の処理を繰り返す。ループＳ２１〜Ｓ２５により、所定時間内で被照合者からの再度の指置き又は個人識別情報入力が監視される。
【００２９】
ステップＳ３０以下では、１対１照合の処理を行う。まず、ループＳ３０〜Ｓ３２において、個人識別情報照合部７は、記憶部８のテーブル（図３）を検索し、ステップＳ２４で入力された個人識別情報に相当する者の図３におけるＩＤコードｊを特定する。このループ中のステップＳ３１の判断において、ステップＳ２４で入力された個人識別情報と第ｊ者の個人識別情報が一致した場合、ループから抜け出し、指置きの回数ｉを１に設定し（Ｓ３３）、Ｃ以下の処理（Ｓ３５）へ進む。この時点でｊの値が確定する。このループから抜け出さずに、ループを終了した場合には、照合Ｎ．Ｇ．の処理Ｎ（Ｓ４８）へ進む。
【００３０】
Ｃ以下では、まず、メモリＰ（Ｓ１４参照）と図３における特徴パラメータ（データｊ）との類似度を、パターンマッチング方式、マニューシャ方式、周波数解析方式等の公知の方式によって、照合部６で算出し一旦記憶部８内のメモリＳに記憶し（Ｓ３５）、メモリＳと寛容な値である第ｊ者の個別基準値（図３参照）とを判定部９で比較する（Ｓ３６）。
【００３１】
比較の結果、メモリＳが個別基準値に適合する（本明細書の実施例では、メモリＳが個別基準値より小さい値である）場合には、照合Ｏ．Ｋ．の処理Ｏ（Ｓ４６）へ進む。比較の結果、メモリＳが個別基準値に適合しない（本明細書の実施例では、メモリＳが個別基準値以上の値である）場合には、指置きの回数ｉと所定回数の大小を比較する（Ｓ３７）。比較の結果、指置きの回数ｉが所定回数以上である場合には、照合Ｎ．Ｇ．の処理Ｎ（Ｓ４８）へ進む。比較の結果、指置きの回数ｉが所定回数未満である場合には、被照合者に対して、「再度指を置いてください」と表示部３に表示する（Ｓ３８）。
【００３２】
続いて、再度の指置きがあるか否かを判断し（Ｓ３９）、指置きがある場合には、図示しないタイマーをリセットし（Ｓ４３）、指置きの回数ｉの値を１だけ増やし（Ｓ４４）、ステップＳ３４の処理へ進む。ステップＳ３４では、指紋入力部１で読み取られた指紋は、特徴パラメータ抽出部５に送出され、ここで特徴パラメータが抽出され、それは記憶部８内のメモリＰに一時記憶され、引き続き、Ｃ以下の処理を繰り返す。
【００３３】
ステップＳ３９で指置きがない場合には、タイマーが起動中であるか否かを判断し（Ｓ４０）、タイマーが起動中でない場合には、タイマーを起動する（Ｓ４１）。次いで、タイマーと所定時間の大小を比較する（Ｓ４２）。
【００３４】
比較の結果、タイマーが所定時間を超えている場合には、タイマーをリセットし（Ｓ４５）、照合Ｎ．Ｇ．の処理Ｎ（Ｓ４８）へ進む。比較の結果、タイマーが所定時間以下の場合には、ステップＳ３９以下の処理を繰り返す。ループＳ３９〜Ｓ４２により、所定時間内で被照合者からの再度の指置きが監視される。
【００３５】
照合Ｏ．Ｋ．の処理Ｏでは、出力部１０から電気錠へ解錠信号を出力し（Ｓ４６）、被照合者のＩＤ及び時刻を履歴に残し（Ｓ４７）、ステップＳ４９へ進む。照合Ｎ．Ｇ．の処理Ｎでは、「照合できません」と表示部３に表示し（Ｓ４８）、ステップＳ４９へ進む。ステップＳ４９では、表示部３をＯＦＦにし、引き続き、照合処理を終了する。
【００３６】
図８及び図９は、本発明の第２の実施例を示したものである。
本実施例では、本発明の基本的なフローチャート（図２）のステップＳ０５を図８のステップＳ０５’に置き換える。すなわち、このステップにおいて、ステップＳ０１で入力・一時記憶された特徴パラメータと図３のごとく記憶部８にあらかじめ記憶されている特徴パラメータ（データ１〜データＮ）との類似度を、パターンマッチング方式、マニューシャ方式、周波数解析方式等の公知の方式によって、照合部６で順次算出し、算出された類似度と入力された個人識別情報に相当する者（第ｊ者）の個別基準値（図９参照）とを判定部９で比較する。
【００３７】
この個別基準値は、正当な被照合者が照合Ｎ．Ｇ．とならないよう、一般に共通基準値より寛容な値に設定してある。そのため、他人許容率が大きくなる傾向がある。従って、特に指紋が読み取りにくく、特別に救済する必要のある限定的な者に対してのみ暗証番号を与えておくのが望ましい。
第２の実施例では、第１の実施例とは異なり、一貫して１対Ｎ照合を行う。従って、図９には個々の被照合者に対応する個別の特徴パラメータをあえて図示しておらず、特定の個人に対する判定基準値だけが切り換わる点を明確にしている。
【００３８】
図１０及び図１１は、本発明の第３の実施例を示したものである。
本実施例では、第１の実施例を説明するフローチャート（図２）のステップＳ０５を図１０のステップＳ０５’’に置き換える。すなわち、このステップにおいて、ステップＳ０１で記憶部８に一時記憶された特徴パラメータとステップＳ０４で入力された個人識別情報に相当する者（第ｊ者）の図１１における一つ以上の特徴パラメータとの類似度を、パターンマッチング方式、マニューシャ方式、周波数解析方式等の公知の方式によって、照合部６で順次算出し、算出された類似度と寛容な値である第ｊ者の個別基準値（図１１参照）とを判定部９で順次比較する。
【００３９】
第３の実施例は、第ｊ者の特徴パラメータとして複数個のデータを利用し得る点で第１の実施例と異なる。これは、怪我などにより特定の指を照合に利用できない者をより積極的に救済することを目的とする。例えば、図１１の例では、ＩＤコード０１を持つ者（登録者Ａ）の右手人差し指が怪我などで照合に利用できない場合には、右手中指を使用することができる。
また、登録者のすべての指を個人識別情報に対応させて登録させておけば、被照合者はどの指を登録したかを意識することなく照合が可能となり、更に利便性が向上する。
【００４０】
上記各実施例では、生体情報として指紋を用いて説明したが、生体情報は、声紋、掌紋、網膜、顔画像等の個人を識別可能な情報であっても良い。また、図２のステップＳ０４及び図５のステップＳ２４における個人識別情報入力は、個人識別情報入力部２のテンキーによる入力の他、磁気カード、ＩＣカード等による入力であっても良い。
【図面の簡単な説明】
【００４１】
【図１】本発明に係る個人照合装置の構成を示すブロック図である。
【図２】同装置の基本的な動作フロー例を示すフローチャートである。
【図３】同装置の記憶部に記憶されるテーブルの一例を示す図である。
【図４】第１の実施例の具体的な動作フロー例を示すフローチャート（１）である。
【図５】第１の実施例の具体的な動作フロー例を示すフローチャート（２）である。
【図６】第１の実施例の具体的な動作フロー例を示すフローチャート（３）である。
【図７】第１の実施例の具体的な動作フロー例を示すフローチャート（４）である。
【図８】第２の実施例に係る個人照合装置の基本的な動作フロー例を示すフローチャートの一部である。
【図９】同装置の記憶部に記憶されるテーブルの一例を示す図である。
【図１０】第３の実施例に係る個人照合装置の基本的な動作フロー例を示すフローチャートの一部である。
【図１１】同装置の記憶部に記憶されるテーブルの一例を示す図である。
【符号の説明】
【００４２】
１…指紋入力部
２…個人識別情報入力部
３…表示部
４…制御部
５…特徴パラメータ抽出部
６…照合部
７…個人識別情報照合部
８…記憶部
９…判定部
１０…出力部
【図１】
2005293139.tif 000003
【図２】
2005293139.tif 000004
【図３】
2005293139.tif 000005
【図４】
2005293139.tif 000006
【図５】
2005293139.tif 000007
【図６】
2005293139.tif 000008
【図７】
2005293139.tif 000009
【図８】
2005293139.tif 000010
【図９】
2005293139.tif 000011
【図１０】
2005293139.tif 000012
【図１１】
2005293139.tif 000013